(57)【要約】【課題】画像形成装置の搬送路の搬送方向に対して直交する方向の幅が、画像形成装置の搬送路に設けられた転写部材の搬送路に対して直交する方向の幅より狭い記録媒体に比べて、画像の形成の不具合を防止することができる記録媒体及び画像形成装置を提供する。【解決手段】少なくとも１つの記憶部材１０４を有し、画像形成装置１０内の搬送路５６の搬送方向に対して直交する方向の幅Ｘが、画像形成装置１０内の搬送路５６に設けられた転写部材４２の搬送路５６に対して直交する方向の幅Ｙの７０パーセント以上の幅を有する記録媒体である。【選択図】図２
2017185670.tif 000002
【特許請求の範囲】
【請求項１】
少なくとも１つの記憶部材を有し、
画像形成装置の搬送路の搬送方向に対して直交する方向の幅が、前記画像形成装置内の前記搬送路に設けられた転写部材の前記搬送路に対して直交する方向の幅の７０パーセント以上の幅を有する記録媒体。
【請求項２】
前記画像形成装置内の前記搬送路の搬送方向に対して直行する方向となる部分の幅は、前記画像形成装置内の前記搬送路に設けられた前記転写部材の前記搬送路に対して直行する方向の幅の７０パーセント以上の幅から、前記転写部材の幅以下の範囲で形成された請求項１に記載の記録媒体。
【請求項３】
画像形成装置内に送られて画像が形成される第１粘着層を有する一方の基材と、
前記第１粘着層と張り合わされる第２粘着層を有する他方の基材と、
前記第１粘着層と前記第２粘着層の間に配置された少なくとも前記記憶部材と、を有し、
前記一方の基材側から前記第２粘着部までの深さの切り込みが少なくとも前記記憶部材を囲むように形成されている請求項１又は２に記載の記録媒体。
【請求項４】
前記一方の基材は、前記第１粘着層と、樹脂材料で形成された基材層と、前記基材層の少なくとも画像が形成される側に塗工層が設けられている請求項３に記載の記録媒体。
【請求項５】
前記切り込みは、少なくとも３つ形成されており、前記搬送路の搬送方向に対して平行に並んでそれぞれ設けられている請求項３又は４に記載の記録媒体。
【請求項６】
前記搬送路の搬送方向に対して直行する方向となる側が、幅が広い側となるように搬送される請求項１乃至５のいずれかに記載の記録媒体。
【請求項７】
画像形成装置本体と、
前記画像形成装置本体内において、少なくとも１つの記憶部材を有する記録媒体が搬送される搬送路と、
前記搬送路に設けられた転写部材と、を有し、
前記転写部材の前記搬送路の搬送方向と直交する方向の幅が、前記記録媒体の前記搬送路の搬送方向と直交する方向の幅の７０パーセント以上の幅となる画像形成装置。
【発明の詳細な説明】
【技術分野】
【０００１】
本発明は、記録媒体及び画像形成装置に関する。
【背景技術】
【０００２】
例えば、ＲＦＩＤ（Radio Frequancy IDentification）等の回路装置を有する紙等の記録媒体に画像を形成する画像形成装置に関する発明として、下記特許文献１に、ＲＦＩＤチップを備えた記録媒体を搬送する搬送手段と、搬送される前記記録媒体の幅方向の所定位置に対応して当該画像形成装置に固定して配置され該記録媒体のＲＦＩＤチップを通信により検知するＲＦＩＤセンサと、前記記録媒体に画像を形成する画像形成手段と、前記記録媒体におけるＲＦＩＤチップと形成される画像との位置関係を指定する画像形成条件が入力される入力手段とを備え、前記画像形成条件に基づいて、前記ＲＦＩＤチップがＲＦＩＤセンサにより検知可能な位置となるように設定された搬送向きで前記記録媒体が搬送され、前記記録媒体の搬送向き及び前記画像形成条件に基づいて、入力される画像データを所定角度で回転させる画像処理が行われ、該画像処理後の画像データにより前記記録媒体上に画像が形成されることを特徴とする画像形成装置が開示されている。
【先行技術文献】
【特許文献】
【０００３】
【特許文献１】特開２００８−２２１６７９号公報
【発明の概要】
【発明が解決しようとする課題】
【０００４】
回路部材を有する記録媒体に現像剤像を転写する場合、記録媒体の幅が画像形成装置の転写部材の幅に比べて狭いと、記録媒体に与えられた電荷が逃げてしまい、画像の形成に不具合が起こる課題がある。
【０００５】
本発明は、画像形成装置の搬送路の搬送方向に対して直交する方向の幅が、画像形成装置の搬送路に設けられた転写部材の搬送路に対して直交する方向の幅より狭い記録媒体に比べて、画像の形成の不具合を防止することができる記録媒体及び画像形成装置を提供することを目的とする。
【課題を解決するための手段】
【０００６】
請求項１に係る本発明は、少なくとも１つの記憶部材を有し、画像形成装置の搬送路の搬送方向に対して直交する方向の幅が、前記画像形成装置内の前記搬送路に設けられた転写部材の前記搬送路に対して直交する方向の幅の７０パーセント以上の幅を有する記録媒体である。
【０００７】
請求項２に係る本発明は、前記画像形成装置内の前記搬送路の搬送方向に対して直行する方向となる部分の幅は、前記画像形成装置内の前記搬送路に設けられた前記転写部材の前記搬送路に対して直行する方向の幅の７０パーセント以上の幅から、前記転写部材の幅以下の範囲で形成された請求項１に記載の記録媒体である。
【０００８】
請求項３に係る本発明は、画像形成装置内に送られて画像が形成される第１粘着層を有する一方の基材と、前記第１粘着層と張り合わされる第２粘着層を有する他方の基材と、前記第１粘着層と前記第２粘着層の間に配置された少なくとも前記記憶部材と、を有し、前記一方の基材側から前記第２粘着部までの深さの切り込みが少なくとも前記記憶部材を囲むように形成されている請求項１又は２に記載の記録媒体である。
【０００９】
請求項４に係る本発明は、前記一方の基材は、前記第１粘着層と、樹脂材料で形成された基材層と、前記基材層の少なくとも画像が形成される側に塗工層が設けられている請求項３に記載の記録媒体である。
【００１０】
請求項５に係る本発明は、前記切り込みは、少なくとも３つ形成されており、前記搬送路の搬送方向に対して平行に並んでそれぞれ設けられている請求項３又は４に記載の記録媒体である。
【００１１】
請求項６に係る本発明は、前記搬送路の搬送方向に対して直行する方向となる側が、幅が広い側となるように搬送される請求項１乃至５のいずれかに記載の記録媒体である。
【００１２】
請求項７に係る本発明は、画像形成装置本体と、前記画像形成装置本体内において、少なくとも１つの記憶部材を有する記録媒体が搬送される搬送路と、前記搬送路に設けられた転写部材と、を有し、前記転写部材の前記搬送路の搬送方向と直交する方向の幅が、前記記録媒体の前記搬送路の搬送方向と直交する方向の幅の７０パーセント以上の幅となる画像形成装置である。
【発明の効果】
【００１３】
請求項１に係る本発明によれば、画像形成装置の搬送路の搬送方向に対して直交する方向の幅が、画像形成装置の搬送路に設けられた転写部材の搬送路に対して直交する方向の幅の７０パーセント以下の幅の記録媒体に比べ、画像の形成の不具合を防止することができる。
【００１４】
請求項２に係る本発明によれば、請求項１に係る本発明の効果に加え、画像形成装置内の搬送路の搬送方向に対して直行する方向となる部分の幅以上の幅を有する記録媒体に比べ、画像の形成の不具合を防止することができる。
【００１５】
請求項３に係る本発明によれば、請求項１又は２に係る本発明の効果に加え、搬送路の搬送方向に対して直行する方向の幅が転写部材の幅より狭い記録媒体に比べ、画像の形成の不具合を防止することができるようになる。
【００１６】
請求項４に係る本発明によれば、請求項３に係る本発明の効果に加え、塗工層が設けられていない場合に比べ、画像の形成を行い易くなる。
【００１７】
請求項５に係る本発明によれば、請求項３又は４に係る本発明の効果に加え、切り込みが３つより少ない場合の記録媒体に比べて、幅の広い記録媒体を提供することができる。
【００１８】
請求項６に係る本発明によれば、請求項１乃至５のいずれかに係る本発明の効果に加え、搬送路の搬送方向に対して直行する方向となる側が、幅が狭い側となる記録媒体に比べ、画像の形成の不具合を防止することができる。
【００１９】
請求項７に係る本発明によれば、転写部材の搬送路の搬送方向と直交する方向の幅が、記録媒体の搬送路の搬送方向と直交する方向の幅の７０パーセント以下の幅となる場合に比べ、記録媒体への画像の形成の不具合を防止することができるようになる。
【図面の簡単な説明】
【００２０】
【図１】実施形態の画像形成装置を示す側面断面図である。
【図２】実施形態の記録媒体を示す平面図である。
【図３】実施形態の記録媒体の拡大断面図である。
【図４】図４Ａは実施形態の記録媒体に画像を転写する場合の電荷の状態を示す概略図であり、図４Ｂは実施形態の記録媒体の幅よりも狭い幅の記録媒体に画像を転写する場合の電荷の状態を示す概略図である。
【図５】図５Ａ〜図５Ｃは、転写部材において、幅の異なる記録媒体に画像を転写するときの設定電圧と実測電圧とを計測する実験の概略を示した図である。
【図６】図６Ａは実験の計測結果を示すグラフであり、図６Ｂは表である。
【発明を実施するための形態】
【００２１】
以下、図面を参照して本発明の実施形態を説明する。ただし、以下に示す実施形態は、本発明の技術思想を具体化するための記録媒体及び画像形成装置を例示するものであって、本発明をこれに特定することを意図するものではなく、特許請求の範囲に含まれるその他の実施形態のものにも等しく適応し得るものである。
【００２２】
［実施形態］
実施形態の画像形成装置１０は、図１に示すように、画像形成装置本体１２を有し、画像形成装置本体１２の側面（図１の左側）に、実施形態に係る記録媒体１００及び実施形態の記録媒体１００と異なる記録紙等の他の記録媒体２００が画像形成装置本体１２内に送られる開閉装置としての手差しユニット８０を有し、また、画像形成装置本体１２の内部に、記録媒体１００及び他の記録媒体２００が供給される給紙ユニット１８と、記録媒体１００及び他の記録媒体２００に転写する画像を形成する画像形成手段１４と、定着装置３６とが搭載され、画像形成装置本体１２の上部に記録媒体１００及び他の記録媒体２００が排出される排出部１６を有し、これらを通過するように記録媒体１００及び他の記録媒体２００を搬送する搬送路５６が設けられている（以下、実施形態に係る記録媒体を単に記録媒体１００といい、実施形態の記録媒体１００と異なる記録媒体を他の記録媒体２００という。また、記録媒体１００及び他の記録媒体２００をまとめて記録媒体１００、２００という。）。
【００２３】
また、画像形成装置本体１２の手差しユニット８０は、開いた状態において画像形成装置本体１２内に手差しユニット８０側から供給される記録媒体１００が配置され（図１参照）、閉じた状態において画像形成装置本体１２の側面に収納されるようになっている（不図示）。
【００２４】
ここで、図２、図３を参照して、実施形態にかかる画像形成装置１０で用いられる記録媒体１００について説明する。
【００２５】
実施形態の記録媒体１００は、長手側と短手側とを有する長方形状であって、複数、例えば３つの回路装置１０２を間に挟み、一方側に、回路装置１０２側から順に、第１粘着層１１２と、樹脂材料で形成された基材層１１０と、例えば、ホワイトフィルム等の加工がされ、画像が形成される塗工層１０８とを有し、他方側には、回路装置１０２側から順に、第２粘着層１１４と、基台となる基台部材としての剥離紙１１６とを有している。そして、回路装置１０２を挟んで、一方側の第１粘着層１１２と他方側の第２粘着層１１４とが貼り合わされた構成となっている。なお、図２では、説明のため回路装置１０２が見えるように記載されている。
【００２６】
また、回路装置１０２は、各種の情報や記録等のデータが記憶されたＩＣ（Integrated circuit）等の記憶部材１０４と、記憶部材１０４に繋がれたデータの送受信が行われる複数の金属製の配線が巻回されたコイル状の送受信部１０６を有している。なお、送受信部１０６は、相手方からの電波を受信することで起電力を発生する部分ともなっている。
【００２７】
また、実施形態の記録媒体１００は、回路装置１０２を含む所定の範囲を囲むように切り込み１１８が形成されている。この切り込み１１８は、記録媒体１００の一方側の画像が形成される面側から切り込まれており、他方側の第２粘着層１１４まで切り込まれている。なお、剥離紙１１６は、切り込まれていない。このとき、実施形態の記録媒体１００では、一枚の記録媒体１００に３か所の長方形状に囲まれた切り込み１１８が形成されており、この切り込み１１８で囲まれた部分がそれぞれ剥離される剥離部１２４となる。なお、実施形態では、切り込み１１８は、記録媒体１００が画像形成装置本体１２内に送られる方向が長手方向となる長方形状に形成されている。
【００２８】
また、実施形態の記録媒体１００では、３つの剥離部１２４が横一列に並んだ状態となっており、記録媒体１００が画像形成装置１０内の搬送路５６の搬送方向に対して直行する方向となる長手側の幅Ｘ（図５Ａ参照）は、従来の剥離部が２つ形成された場合の記録媒体の幅（図５Ｂ参照）に比べて広くなっている。
【００２９】
具体的には、記録媒体１００が画像形成装置１０内に送られる場合に、記録媒体１００の画像形成装置１０内の搬送路５６の搬送方向に対して直行する方向となる側の幅Ｘは、後述する画像形成装置内の搬送路に設けられた転写部材としての二次転写ロール４２の搬送路５６の搬送方向に対して直行する側の幅Ｙの７０パーセント以上の幅であることが好ましい。例えば、記録媒体１００の幅Ｘは、図２に示すような、Ａ６用紙を縦に３つ並べた状態の長手側の幅に相当する、凡そ３１０ｍｍ〜３２０ｍｍに形成されている。
【００３０】
また、切り込み１１８で囲まれた剥離部１２４は、互に隙間が設けられており、その間には、縦ミシン目１２２がそれぞれ設けられている。
【００３１】
なお、図２では、切り込み１１８で囲まれた剥離部１２４は、互に隙間が設けられているが、これに限らず、隣接する部分の互の切り込みが一本に重なるようにしてもよい。
【００３２】
また、記録媒体１００の短手方向において、切り込み１１８で囲まれた部分を２分割する位置に、ミシン目１２０がそれぞれ形成されている。このとき、回路装置１０２は、このミシン目１２０で分割されたうちの一方側に配置されるようになる。
【００３３】
そして、記録媒体１００は、画像形成装置１０により塗工層１０８側に画像が形成された後、この切り込み１１８で囲まれた剥離部１２４の塗工層１０８、基材層１１０、第１粘着層１１２、回路装置１０２及び第２粘着層１１４が剥離紙１１６から剥がすことができるようになっている。
【００３４】
なお、剥がされた剥離部１２４を第２粘着層１１４側が向かい合うようにミシン目１２０で折り曲げ、第２粘着層１１４同士を貼り合わされることで組み立てられ、カード部材が形成されようになる。このとき、画像が形成された塗工層が両側に配置されることで、両面に画像が形成されたカード部材（不図示）となる。
【００３５】
なお、記録媒体の画像が形成される側は、基材層に塗工層を設けた場合に限らず、紙材を用いてもよい。
【００３６】
次に、図１を参照して実施形態の画像形成装置の各構成について説明する。
【００３７】
給紙ユニット１８は、記録媒体１００、２００を積層した状態で収納する給紙カセット７８と、この給紙カセット７８に収納された最上位の記録媒体１００、２００を抽出するピックアップロール５０と、抽出した記録媒体１００、２００を画像形成手段１４に向けて供給する供給ロール５２と、記録媒体１００、２００を捌き、画像形成手段１４に複数枚の記録媒体１００、２００が重なった状態で搬送されることを防止するリタードロール５４とが設けられている。
【００３８】
画像形成手段１４は、例えば、イエロー（Ｙ）、マゼンタ（Ｍ）、シアン（Ｃ）、黒（Ｋ）の４色に対応する画像形成ユニット２０と、光書込み装置２２と、転写装置２４とにより構成されている。なお、画像形成ユニット２０及びこれらの構成要素は、形成する画像の色以外は同様の構成とされている。
【００３９】
画像形成ユニット２０は、それぞれ交換部材として用いられ、画像形成装置本体１２に対して着脱自在に設けられており、画像形成装置本体１２の後側（図１における右側）から順に、Ｙ、Ｍ、Ｃ、Ｋの順に並べられている。
【００４０】
画像形成ユニット２０は、例えばカラー画像を形成する電子写真方式のものである。画像形成ユニット２０はそれぞれ、画像形成ユニット本体２６を備え、画像形成ユニット本体２６内には、現像剤像を保持するドラム形状の像保持体２８と、この像保持体２８を一様に帯電する帯電ロールを備えた帯電手段としての帯電装置３０と、像保持体２８に書き込まれた潜像を現像剤（トナー）で現像する現像装置３２と、像保持体２８に残留する廃現像剤を例えば掻き取って清掃する清掃装置３４とが設けられている。
【００４１】
現像装置３２は、それぞれが収納するＹ、Ｍ、Ｃ、Ｋの現像剤を用いて、対応する像保持体２８に形成された潜像を現像する。
【００４２】
また、光書込み装置２２は潜像形成装置として用いられ、例えば走査型のレーザ露光装置からなり、像保持体２８のそれぞれの表面に潜像を形成する。なお、光書込み装置２２は、他の実施例としてＬＥＤや面発光レーザ等を用いることができる。
【００４３】
転写装置２４は、転写体として用いられる被転写部材３８と、一次転写装置として用いられる一次転写ロール４０と、二次転写装置として用いられる二次転写ロール４２と、清掃装置４４と、で構成されている。
【００４４】
被転写部材３８は、例えば無端状のベルト形状であり、５つの支持ロール４６ａ、４６ｂ、４６ｃ、４６ｄ、４６ｅによって、図１に矢印で示す方向に回転することができるように支持されている。また、支持ロール４６ａ、４６ｂ、４６ｃ、４６ｄ、４６ｅのうち少なくとも一つはモータ等の動力源（図示省略）に連結されており、この動力源からの駆動伝達を受けて回転することで、被転写部材３８が回転駆動するようになっている。
【００４５】
支持ロール４６ａは、二次転写ロール４２と対向するように配置され、この二次転写ロール４２のバックアップロールとして機能し、二次転写ロール４２と支持ロール４６ａとで挟まれる部分が二次転写位置となっている。
【００４６】
一次転写ロール４０は、それぞれに対応する現像装置３２により像保持体２８の表面に形成された現像剤像を、被転写部材３８に転写する。
【００４７】
また、二次転写ロール４２は、被転写部材３８に転写されたＹ、Ｍ、Ｃ、Ｋの現像剤像を、電荷を与えられた記録媒体１００、２００に対して転写する。
【００４８】
清掃装置４４は、二次転写ロール４２で記録媒体１００、２００に対して各色の現像剤像が転写された後に、被転写部材３８の表面に残留する各色の現像剤を掻き落とす掻き落とし部材４８を有する。そして、掻き落とし部材４８によって掻き落とされた現像剤は、清掃装置４４の本体内に回収される。
【００４９】
搬送路５６は、主搬送路５６ａと、反転搬送路５６ｂとにより構成されている。
【００５０】
主搬送路５６ａは、給紙ユニット１８又は手差しユニット８０から供給された記録媒体１００、２００を画像形成手段１４に搬送し、画像が形成された記録媒体１００、２００を排出部１６に排出する。
【００５１】
給紙ユニット１８から主搬送路５６ａに記録媒体１００、２００が送られる場合は、搬送方向上流側から順に、ピックアップロール５０、供給ロール５２、リタードロール５４、レジストロール５８、転写装置２４、定着装置３６、及び排出ロール６０が配置されている。
【００５２】
ピックアップロール５０は、給紙ユニット１８の給紙カセット７８から記録媒体１００、２００を送り出し、供給ロール５２及びリタードロール５４により、送り出された記録媒体１００、２００が捌かれ、搬送ロール８８により主搬送路５６ａに導かれる。
【００５３】
レジストロール５８は、給紙ユニット１８側から搬送されてきた記録媒体１００、２００の先端部を一時的に停止させ、画像形成されるタイミングと合致するように記録媒体１００、２００を転写装置２４に向けて送り出す。
【００５４】
定着装置３６は、加熱部としての加熱ロール６６及び加圧部７６を有し、これら加熱ロール６６と加圧部７６との間を通過する記録媒体１００、２００を加熱し、加圧することで、記録媒体１００、２００に現像剤像が定着される。
【００５５】
排出ロール６０は、定着装置３６により現像剤が定着された記録媒体１００、２００を、排出部１６に排出される。
【００５６】
また、手差しユニット８０からの主搬送路５６ａに記録媒体１００、２００が送られる場合は、記録媒体は、搬送方向上流側の手差しユニット８０から手差しピックアップロール８２により送り出され、送り出された記録媒体１００、２００が手差し供給ロール８４及び手差しリタードロール８６により捌かれて、搬送ロール８８により主搬送路５６ａに導かれるようになっている。
【００５７】
そして、記録媒体１００、２００は、上述した給紙ユニット１８より送り出された記録媒体１００、２００と同様に、レジストロール５８、転写装置２４及び定着装置３６を通って排出部１６へ排出される。なお、実施形態の記録媒体への画像の形成は、上述した他の記録媒体１００、２００の場合と共通するので、詳細な説明は省略する。
【００５８】
また、反転搬送路５６ｂは、一方の面に現像剤像が形成された記録媒体１００、２００を反転させつつ、再び画像形成手段１４に向けて供給する搬送路であり、反転搬送路５６ｂには、例えば二つの反転搬送ロール６２ａ、６２ｂが配置されている。
【００５９】
記録媒体１００、２００が主搬送路５６ａから排出ロール６０に搬送され、この記録媒体１００、２００の後端部が排出ロール６０に挟みこまれた状態でこの排出ロール６０が逆回転することで、記録媒体１００、２００が反転搬送路５６ｂに供給される。反転搬送路５６ｂに供給された記録媒体１００、２００は、反転搬送ロール６２ａ、６２ｂによって、レジストロール５８の上流の位置へと搬送される。
【００６０】
ここで、画像形成装置１０による実施形態の記録媒体１００への画像の形成についての詳細について説明する。なお、実施形態の記録媒体１００は、上述したように、内部に記憶部材１０４を有する回路装置１０２が設けられ、複数の層で形成されており、記録媒体１００が画像形成装置に搬送される方向に対して直交する方向の幅Ｘが、従来の回路装置を備えた記録媒体に比べ、広くなるように形成されている。
【００６１】
なお、以下では、手差しユニット８０から記録媒体１００が画像形成装置本体１２内に搬送される場合を説明する。このとき、記録媒体１００は画像が形成される塗工層１０８側が下側、すなわち、手差しユニット８０側を向くように配置させる。
【００６２】
実施形態の記録媒体１００に画像形成装置１０で画像を形成する場合は、上述したように、手差しユニット８０に記録媒体１００を配置させる。このとき、記録媒体１００の配置の仕方は、記録媒体１００の広い幅Ｘ側が送り込まれるように配置させる。すなわち、記録媒体１００の広い幅Ｘ側が画像形成装置１０の搬送路５６の搬送方向と直行する方向と平行となり、記録媒体１００の幅Ｘ側が画像形成装置１０の搬送路５６の搬送方向を向くように配置される。
【００６３】
なお、実施形態の記録媒体１００に画像を形成する場合は、画像形成装置１０において、記録媒体１００の幅Ｘ側が画像形成装置１０の搬送路５６の搬送方向と直行するようにと平行となる向きでのみ送りこまれるようにし、他の方向、すなわち、記録媒体１００の狭い幅側が画像形成装置１０と平行となるように配置された場合は、例えば、記録媒体の搬送を中止したり、画像の形成を中止したりするようにしてもよい。
【００６４】
記録媒体１００は、手差しユニット８０から画像形成装置本体１２内に搬送される場合、上述したように、手差しピックアップロール８２で送り出され、手差し供給ロール８４及び手差しリタードロール８６により捌かれて、搬送ロール８８により主搬送路５６ａに導かれるようになる。その後、主搬送路５６ａに導かれたのち、記録媒体１００は、レジストロール５８から転写装置２４に送りだされる。
【００６５】
そして、記録媒体１００は、転写装置２４において、図４Ａに示すように、二次転写ロール４２により、被転写部材３８に転写された各現像剤像が、電荷１３０が与えられて記録媒体１００に転写される。
【００６６】
このとき、図４Ｂに示すように、二次転写ロール４２の幅Ｙより狭く、また、実施形態の記録媒体１００の幅Ｘよりも狭い幅Ｚの記録媒体３００に転写する場合、二次転写ロール４２により記録媒体３００に与えられた電荷１３０が被転写部材３８に逃げてしまい、画像の形成に必要な電荷がなくなり、画像の形成に不具合が起こるようになる。
【００６７】
これは、記録媒体３００が二次転写ロール４２と被転写部材３８の間を通過するときに、記録媒体３００の抵抗値が、記録媒体３００が通過しない部分の被転写部材３８の抵抗値に比べて大きくなることで、記録媒体３００に与えられた電荷１３０が被転写部材３８に漏れるためである。
【００６８】
すなわち、被転写部材３８上に記録媒体３００があると、記録媒体３００が通過する部分の全抵抗値は、記録媒体３００の抵抗値と被転写部材３８の抵抗値の合計となり、また、記録媒体３００が通過しない部分の全抵抗値は、被転写部材３８の抵抗値しかないため、記録媒体３００が通過する部分が記録媒体３００の通過しない部分の抵抗値が高くなり、記録媒体３００の電荷１３０が隣接した記録媒体３００の通過しない部分の被転写部材３８へ漏れるようになるためである。
【００６９】
さらに、内部に回路装置１０２が配置されている実施形態の記録媒体１００の場合、画像が形成される面側には、樹脂材料で形成された基材層１１０が設けられていたり、塗工層に例えば、ホワイトフィルム加工等がされていたりすることで、通常の記録紙等の紙材に比べて電荷が漏れやすい構造となってしまい、幅の狭い記録媒体３００では、電荷がより逃げるようになる。
【００７０】
このとき、幅の狭い記録媒体３００に対して、転写のために電荷が逃げても十分な電荷が残るように高い電荷を与えようとすると、画像形成装置に備えられた安全装置が起動し、転写電圧をかけるのが止まってしまい、その結果、十分な電荷が得られず、画像の形成に不具合がでるようになる。
【００７１】
一方、幅が広く形成された実施形態の記録媒体１００は、図４Ａに示すように、搬送路５６の搬送方向に対して直交する方向の幅Ｘが、二次転写ロール４２の幅Ｙと、同じか又は近似する幅、すなわち、二次転写ロールの幅Ｙ以下であり、且つ、幅Ｙの７０パーセント以上の幅の範囲で形成されている。そのため、記録媒体１００に与えられた電荷１３０が被転写部材３８に漏れたとしても、画像の形成をするための電荷１３０が十分に残るようになるため、画像の形成に不具合が起こることを防止することができる。
【００７２】
なお、実施形態の記録媒体１００の幅Ｘより幅の狭い記録媒体３００の幅Ｚとしては、二次転写ロール４２の幅Ｙの７０％以下の幅である場合、記録媒体３００から電荷１３０の漏れが多くなり、画像の形成に不具合がおこりやすくなる。
【００７３】
次に、図５及び図６を参照して、幅の異なる記録媒体１００、４００、５００を画像形成装置１０の二次転写ロール４２と被転写部材３８の間を通過させたときの設定電圧と実測電圧についての違いについての実験について説明する。
【００７４】
実験で使用した記録媒体は、図５に示すように、幅の広い記録媒体として実施形態に係る記録媒体１００を用い、その幅は、３１５ｍｍである（図５Ａ参照）。また、比較のための記録媒体として、幅が２１０ｍｍの記録媒体４００（図５Ｂ参照）と、１０５ｍｍの記録媒体５００（図５Ｃ参照）を用いて実験を行った。なお、実験で使用した二次転写ロール４２の幅Ｙは、３５０ｍｍ（使用可能な記録媒体の最大幅が３３０ｍｍ）である。
【００７５】
その結果、図６に示すように、実施形態の記録媒体１００、すなわち、幅の広い記録媒体１００は、それより幅の狭い記録媒体４００、５００に比べて、理想の線に近い電圧が実測されるようになっている。
【００７６】
そのため、幅の広い記録媒体１００の方が幅の狭い記録媒体４００、５００に比べ、多くの電荷が保持できるため、幅の広い実施形態の記録媒体１００は、幅の狭い記録媒体４００、５００に比べ、画像の形成に不具合を防止することができる。
【００７７】
なお、記録媒体１００は、転写装置２４の二次転写ロール４２を通過した後は、上述のように、画像が形成された後、排出部１６に排出されるようになる。
【符号の説明】
【００７８】
１０  画像形成装置
１２  画像形成装置本体
１４  画像形成手段
２４  転写装置
３６  定着装置
３８  被転写部材
４２  二次転写ロール（転写部材）
５６  搬送路
７８  給紙カセット
８０  手差しユニット
１００  記録媒体
１０２  回路装置
１０４  記憶部材
１０６  送受信部
１０８  塗工層
１１０  基材層
１１２  第１粘着層
１１４  第２粘着層
１１６  剥離紙
１１８  切り込み
１２４  剥離部
１３０  電荷
２００  他の記録媒体
３００、４００、５００  幅の狭い記録媒体
【図１】
2017185670.tif 000003
【図２】
2017185670.tif 000004
【図３】
2017185670.tif 000005
【図４】
2017185670.tif 000006
【図５】
2017185670.tif 000007
【図６】
2017185670.tif 000008